(57)【要約】【課題】  種々の個体に装着することができ、しかも多大な費用をかけることなく、必要十分な情報を表示しておくことができるようにする。【解決手段】  本体となるピン２と、ピン２の一端寄り部分に巻き付けられた方形の膜状表示体３等とを有する棒状タグ１であって、ピン２は、例えばナイロン６やナイロン６６等の合成樹脂によって成形され、膜状表示体３は、例えば市販のレーザーマーキングフィルムを所定サイズに切断して構成したものであって、裏面にはリピール用微弱粘着剤が塗布されている。【選択図】  図１
2012137657.tif 000002
【特許請求の範囲】
【請求項１】
ピンの一側寄り部分に弱粘着性接着剤を介して膜状表示体が展開可能に巻き付けられた、棒状タグ。
【請求項２】
膜状表示体がレーザーマーキング用フィルムであって、膜状表示体にレーザーによる樹脂発色印字が施されている、請求項１記載の棒状タグ。
【請求項３】
ピンに巻き付けられた膜状表示体の外側に円筒状カバーが着脱自在に装着された、請求項１または請求項２記載の棒状タグ。
【請求項４】
円筒状カバーの外側に更に熱収縮性チューブが被着された、請求項１〜請求項３のうちのいずれか一項記載の棒状タグ。
【発明の詳細な説明】
【技術分野】
【０００１】
本発明は、動物の生態調査や魚介類の流通過程等において個体識別に用いられる棒状タグに関する。
【背景技術】
【０００２】
従来、例えば牛や豚等の家畜を識別するためのタグとしては、家畜の個体情報が表示された小形の表示板と、該表示板を家畜の耳に装着するための挟止部とを備えた耳標が広く知られている。
【０００３】
また、近年では、個体に係止されるＴ字バー部と、該Ｔ字バー部の軸部を延設してなる支持ピン部と、個体情報が表示されたプレートと、該プレートを前記支持ピン部に連結するための連結部材とを備えた表示タグも知れられている。
【先行技術文献】
【特許文献】
【０００４】
【特許文献１】特開２０００−２０９９７５
【特許文献２】特開２０１０−２２４５１１
【発明の概要】
【発明が解決しようとする課題】
【０００５】
前述した従来のタグのうち、前者の耳識は基本的に牛や豚といった家畜の耳に付ける構造となっているため、魚介類等の他の個体に装着することができず、用途が限定的であるという欠点があった。
【０００６】
一方、後者の表示タグは前記耳標と異なり、種々の個体に装着することができる構造のものであるが、小形のプレートに表示できる個体情報の情報量が限定であるという不都合があった。また、個体情報の情報量を多くするためにプレートの外形を大きくした場合には、例えば魚類の生態調査では、調査対象の魚の回遊時にタグの抵抗が大きくなり、そのため魚体に負荷がかかるおそれがあった。
【０００７】
また、最近では、個体情報を多く管理するためにＩＣチップすることも行われているが、この場合、システムの管理費およびＩＣチップのコストがかかることから、運用管理に多大な費用が必要になるという問題がある。
【０００８】
本発明の目的は、種々の個体に装着することができ、しかも多大な費用をかけることなく、必要十分な情報を表示しておくことができる棒状タグを提供することにある。
【課題を解決するための手段】
【０００９】
請求項１記載の本発明は、ピンの一側寄り部分に弱粘着性接着剤を介して膜状表示体が展開可能に巻き付けられた棒状タグである。
【００１０】
請求項２記載の本発明は、前記請求項１記載の棒状タグについて、膜状表示体がレーザーマーキング用フィルムであって、膜状表示体にレーザーによる樹脂発色印字が施されていることを特徴とするものである。
【００１１】
請求項３記載の本発明は、前記請求項１または請求項２記載の棒状タグについて、ピンに巻き付けられた膜状表示体の外側に円筒状カバーが着脱自在に装着されたことを特徴とするものである。
【００１２】
請求項４記載の本発明は、前記請求項１〜請求項３のうちのいずれか一項記載の棒状タグについて、円筒状カバーの外側に更に熱収縮性チューブが被着されたことを特徴とするものである。
【発明の効果】
【００１３】
請求項１記載の本発明に係る棒状タグは、ピンの一側寄り部分に弱粘着性接着剤を介して膜状表示体が展開可能に巻き付けられた構造であるため、膜状表示体に多くの情報を表示しておくことができ、しかも該膜状表示体がピンに巻き付けられた状態においては、回遊魚等の移動時の抵抗になるおそれもなく、また回遊魚の捕獲時においては、前記膜状表示体を展開するだけでその情報を読むことができる。更に、本発明の棒状タグは、コスト的にも安価に製造することができるという利点がある。
【００１４】
請求項２記載の本発明に係る棒状タグは、膜状表示体がレーザーマーキング用フィルムであって、膜状表示体にレーザーによる樹脂発色印字が施されている構造であるため、膜状表示体に表された情報が、にじんだり、流れ落ちたり、退色したりすることがなく、より確実な情報表示が可能となる。
【００１５】
請求項３および請求項４記載の本発明に係る棒状タグによれば、前記膜状表示体をより強固にピンに巻着させておくことができるという利点がある。
【図面の簡単な説明】
【００１６】
【図１】実施形態１に係る棒状タグの分解正面図である。
【図２】実施形態１に係る棒状タグの正面図である。
【図３】実施形態２に係る棒状タグであって、（ａ）がピン、（ｂ）がピンに膜状表示体が巻き付けられ、カバーケースが装着される前の状態を示し、（ｃ）最終的にカバーケースが装着された状態を示し、（ｄ）がその横断面図である。
【図４】実施形態３に係る棒状タグであって、（ａ）がピン、（ｂ）がピンに膜状表示体が巻き付けられ、カバーケースが装着される前の状態を示し、（ｃ）カバーケースが装着された後、熱収縮チューブが被着される前の状態を示し、（ｄ）が熱収縮チューブが被着された状態を示し、（ｅ）その横断面である。
【発明を実施するための形態】
【００１７】
次に、本発明の実施形態を図面にしたがって説明するが、本発明はかかる実施形態に限定されるものではない。
【００１８】
（実施形態１）
【００１９】
図１および図２に示すように、本実施形態に係る棒状タグ１は、本体となるピン２と、ピン２の一端寄り部分に巻き付けられた方形の膜状表示体３とを有するものである。
【００２０】
ピン２は、例えばナイロン６やナイロン６６等の合成樹脂によって成形され、先端部には小球体２ａが一体に成形されている。該小球体２ａは、当該棒状タグ１を市販のガンを用いて魚体等の標識対象に打ち込むことによって変形し、ピン２と直角方向に左右一対の枝状部として所定長だけ突出し、該枝状部によって当該棒状タグ１が魚体等の標識対象内に係止されるのである。
膜状表示体３は、例えば市販のレーザーマーキングフィルムを所定サイズに切断して構成したものであって、表面３ｂにはリピール用微弱粘着剤が塗布されており、また表面３ｂの上縁部分３ａとピン２の一端寄り部分とが熱や接着剤によって結合されている。そして、該膜状表示体３は前述したように、表面にリピール用微弱粘着剤が塗布されているため、ピン２への巻き付け過程で前記リピール用微弱粘着剤の接着力によって、膜状表示体３の表面３ｂと裏面３ｃとが接着されることとなる。
【００２１】
前記膜状表示体３の表面には、生態調査用表示として、「標識魚採捕協力」の文字の下に「１．採捕年月日」「２．採捕場所」「３．使用した漁具」「４．全長、体重」「５．採捕者の氏名、住所」といった連絡情報４と、連絡先５と、連絡先の情報等にアクセスするためのＱＲコード６がレーザーによる樹脂発色印字によって表示されている。
【００２２】
本実施形態に係る棒状タグ１の使用方法について述べると、棒状タグ１は、従来の棒状タグと同様、市販のガンを用いて魚体等の標識対象に装着することができ、そして、タグ１が装着された魚を採捕した漁民や釣り人は、タグ１のピン２に巻き付けられた膜状表示体３を広げて、その表面３ｂに記載された連絡事項を読んで、その情報を連絡先に通報することとなる。
【００２３】
（実施形態２）
【００２４】
図３に示すように、本実施形態に係る棒状タグ２１は、本体となるピン２２と、ピン２２の一端寄り部分に巻き付けられた方形の膜状表示体２３と、膜状表示体２３を被覆する透明なカバーケース２４とを有するものである。
【００２５】
ピン２２は前述した実施形態１と同様のものである。また、膜状表示体２３も、前記実施形態１における膜状表示体３と同様のものである。なお、膜状表示体２３の裏面には当該膜状表示体２３がピン２２に巻き付けられた状態において、「開けて下さい  ＯＰＥＮ」の文字が表示されるようになされている。またこの点は他の実施形態における膜状表示体においても同様である。
【００２６】
カバーケース２４は、透明な合成樹脂製であって、直径方向に二分割された半体２４Ａ・２４Ｂで構成された円筒状であって、半体２４Ａ・２４Ｂ同士は、それらの一側の縁部同士がヒンジで連結され、他側の縁部同士が凹凸嵌合する構造となされている。
【００２７】
本実施形態に係る棒状タグ２１を製造する場合、先ず図３（ａ）に示すピン２２に図３（ｂ）に示すように、膜状表示体２３を巻き付け、更にその外側にカバーケース２４が装着されている（図３ｃ・図３ｄ）。そして、当該タグ２１が装着された魚を捕獲した場合、先ずカバーケース２４を開けて取り外し、そして、ピン２２に巻き付けられた膜状表示体２３を展開することで、連絡事項を読むこととなる。
【００２８】
（実施形態３）
【００２９】
図４に示すように、本実施形態に係る棒状タグ３１は、本体となるピン３２と、ピン３２の一端寄り部分に巻き付けられた方形の膜状表示体３３と、膜状表示体３３を被覆する透明なカバーケース３４と、カバーケース３４の外側に被着される透明な熱収縮性チューブ３５を有するものである。
【００３０】
ピン２２および膜状表示体２３は前述した実施形態１と同様のものである。また、カバーケース３４は前記実施形態２におけるカバーケース２４と同様のものである。
【００３１】
本実施形態に係る棒状タグ３１を製造する場合、先ず図４（ａ）に示すピン３２に図４（ｂ）に示すように、膜状表示体３３を巻き付け、次にその外側にカバーケース３４を装着せしめ、更にその外側に熱収縮性チューブ３５を嵌め被せて、該チューブ３５を加熱することにより、該チューブ３５が収縮してその内側のカバーケース３４に密着した状態となる。
【００３２】
そして、当該タグ３１が装着された魚を捕獲した場合、先ず表面の熱収縮性チューブ３５を破った後、カバーケース３４を開けて取り外し、そして、ピン３２に巻き付けられた膜状表示体３３を展開することで、連絡事項を読むこととなる。
【産業上の利用可能性】
【００３３】
本発明に係る棒状タグは、従来のタグと同様に市販のガンを用いて簡単に標識対象に装着することができ、しかも多くの連絡情報を表示することができ、更にコスト的にも安価であるため、幅広い利用が期待できる。
【符号の説明】
【００３４】
１  棒状タグ
２  ピン
３  膜状表示体
【図１】
2012137657.tif 000003
【図２】
2012137657.tif 000004
【図３】
2012137657.tif 000005
【図４】
2012137657.tif 000006